(57)【特許請求の範囲】
【請求項１】
側面、前面及び後面を持つ断面コ字形の一対の縦柱を有する重り枠、及び両端部が上記縦柱の内側に挿入されて上記縦柱の長手方向に積層され、上記重り枠内に保持されている複数の積層重りを備えているエレベータの釣合重りに取り付けられ、上記縦柱の変形を防止するエレベータの釣合重り耐震装置であって、
上記一対の縦柱の前面にボルトにより両端部が取り付けられ、上記重り枠の前側で上記一対の縦柱を連結する前側連結体、
上記縦柱に直接固定されておらず、上記前側連結体の両端部にボルトによりそれぞれ取り付けられている一対の取付金、及び
上記縦柱に直接固定されておらず、上記一対の取付金にボルトにより両端部が取り付けられ、上記重り枠の後側で上記一対の取付金を連結する後側連結体
を備えていることを特徴とするエレベータの釣合重り耐震装置。
【請求項２】
取付金は、縦柱に当接される当接面と、前側連結体が接合される前側接合面と、後側連結体が接合される後側接合面とを有していることを特徴とする請求項１記載のエレベータの釣合重り耐震装置。
【請求項３】
前側接合面及び後側接合面には、前側連結体及び後側連結体を取り付けるためのボルトが螺着されるねじ穴が設けられていることを特徴とする請求項２記載のエレベータの釣合重り耐震装置。
【請求項４】
前側連結体及び後側連結体は、それぞれ帯状の平板であることを特徴とする請求項１ないし請求項３のいずれかに記載のエレベータの釣合重り耐震装置。
【請求項５】
前側連結体及び後側連結体は、それぞれ棒状であることを特徴とする請求項１ないし請求項３のいずれかに記載のエレベータの釣合重り耐震装置。
【請求項６】
前側連結体及び後側連結体は、ロープ部と、このロープ部の両端部に位置する取付金への取付部とをそれぞれ有していることを特徴とする請求項１ないし請求項３のいずれかに記載のエレベータの釣合重り耐震装置。
【請求項７】
取付金には、釣合重りの昇降を案内するガイドレール側へ突出した中間ストッパ部が設けられていることを特徴とする請求項１ないし請求項６のいずれかに記載のエレベータの釣合重り耐震装置。
【発明の詳細な説明】
【０００１】
【発明の属する技術分野】
この発明は、重り枠の縦柱が地震により変形し積層重りが脱落するのを防止するエレベータの釣合重り耐震装置に関するものである。
【０００２】
【従来の技術】
図１４は例えば特許第２７７４９０２号公報に示された従来のエレベータの釣合重りを示す正面図、図１５は図１４の要部側面図、図１６は図１５のＸＶＩ−ＸＶＩ線に沿う断面図、図１７は図１４の要部を示す分解斜視図である。
【０００３】
図において、重り枠１は、互いに間隔をおいて平行に配置された断面コ字形の一対の縦柱２、これら縦柱２の上端部間に固定されている上枠３、及び縦柱２の下端部間に固定されている下枠４を有している。上枠３及び下枠４の両端部には、昇降路に設置されるガイドレール２０（図１６）に係合するガイドシュー５がそれぞれ取り付けられている。
【０００４】
上枠３には、複数本のシャックルロッド６が接続されている。これらのシャックルロッド６には、主ロープ７の端末が接続されている。シャックルロッド６と上枠３との間には圧縮ばね８が設けられている。縦柱２の中間部には、中間ストッパ９が取り付けられている。重り枠１の内側には、複数の積層重り１０が積層され保持されている。
【０００５】
重り枠１の上下方向の中間部には、前後一対の帯板１１が取り付けられている。帯板１１の両端部は、直角に折り曲げられており、複数本のボルト１２により縦柱２に対して固定されている。縦柱２には、ボルト１２が螺着される取付金１３が溶接されている。取付金１３と帯板１１との間には、複数枚の挟み金１４が介在されている。
【０００６】
上記のような従来の釣合重りでは、地震発生時に、積層重り１０の水平方向の揺れにより縦柱２に捻れ変形が生じる。これに対し、耐震装置として働く帯板１１を重り枠１の前後に締結することで、縦柱２の変形が防止され、積層重り１０の脱落が防止されている。
【０００７】
【発明が解決しようとする課題】
上記のように構成された従来のエレベータの釣合重りにおいては、既設のものに帯板１１を追加で取り付ける場合、ガイドシュー５を取り外してから重り枠１を回転させて向きを変え、作業スペースを確保する必要があり、作業性が悪かった。また、縦柱２に取付金１３を取り付ける作業は、非常に不安定な作業となるため、縦柱２にねじ加工を施すことができず、取付金１３は溶接により縦柱２に固定せざるを得ず、手間がかかっていた。さらに、取付金１３を溶接する際、不安定な状態の釣合重りを支える作業員が必要となり、一人作業での据付ができなかった。
【０００８】
この発明は、上記のような問題点を解決することを課題としてなされたものであり、耐震装置を容易に取り付けることができ、作業性を向上させることができるエレベータの釣合重り耐震装置を得ることを目的とする。
【０００９】
【課題を解決するための手段】
請求項１の発明に係るエレベータの釣合重り耐震装置は、側面、前面及び後面を持つ断面コ字形の一対の縦柱を有する重り枠、及び両端部が縦柱の内側に挿入されて縦柱の長手方向に積層され、重り枠内に保持されている複数の積層重りを備えているエレベータの釣合重りに取り付けられ、縦柱の変形を防止するものであって、一対の縦柱の前面にボルトにより両端部が取り付けられ、重り枠の前側で一対の縦柱を連結する前側連結体、前側連結体の両端部にボルトによりそれぞれ取り付けられている一対の取付金、及び一対の取付金にボルトにより両端部が取り付けられ、重り枠の後側で一対の取付金を連結する後側連結体を備えたものである。
【００１０】
請求項２の発明に係るエレベータの釣合重り耐震装置は、縦柱に当接される当接面と、前側連結体が接合される前側接合面と、後側連結体が接合される後側接合面とを有する取付金を用いたものである。
【００１１】
請求項３の発明に係るエレベータの釣合重り耐震装置は、前側接合面及び後側接合面に、前側連結体及び後側連結体を取り付けるためのボルトが螺着されるねじ穴を設けたものである。
【００１２】
請求項４の発明に係るエレベータの釣合重り耐震装置は、前側連結体及び後側連結体として、それぞれ帯状の平板を用いたものである。
【００１３】
請求項５の発明に係るエレベータの釣合重り耐震装置は、棒状の前側連結体及び後側連結体を用いたものである。
【００１４】
請求項６の発明に係るエレベータの釣合重り耐震装置は、ロープ部と、このロープ部の両端部に位置する取付金への取付部とをそれぞれ有している前側連結体及び後側連結体を用いたものである。
【００１５】
請求項７の発明に係るエレベータの釣合重り耐震装置は、釣合重りの昇降を案内するガイドレール側へ突出した中間ストッパ部を取付金に設けたものである。
【００１６】
【発明の実施の形態】
以下、この発明の実施の形態を図について説明する。
実施の形態１．
図１はこの発明の実施の形態１によるエレベータの釣合重りを示す正面図、図２は図１の釣合重りの要部を示す斜視図、図３は図２の釣合重りの要部を示す側面図、図４は図３のＩＶ−ＩＶ線に沿う断面図である。
【００１７】
図において、重り枠１は、互いに間隔をおいて平行に配置された断面コ字形の一対の縦柱２、これら縦柱２の上端部間に固定されている上枠３、及び縦柱２の下端部間に固定されている下枠４を有している。上枠３及び下枠４の両端部には、昇降路に設置されるガイドレール２０（図４）に係合するガイドシュー５がそれぞれ取り付けられている。
【００１８】
上枠３には、複数本のシャックルロッド６が接続されている。これらのシャックルロッド６には、主ロープ７の端末が接続されている。シャックルロッド６と上枠３との間には圧縮ばね８が設けられている。
【００１９】
重り枠１の内側には、複数の積層重り２１が積層され保持されている。縦柱２は、積層重り２１の積層体２１Ａの側面に対向する側面２ａと、積層体２１Ａの幅方向両端部の前面及び後面に対向する前面２ｂ及び後面２ｃとを有している。
縦柱２の中間部には、中間ストッパ９が取り付けられている。
【００２０】
一対の縦柱２の長手方向（上下方向）の中間部には、帯状の平板（例えば鋼板）からなる前側連結体２２が取り付けられている。前側連結体２２は、その両端部が複数本のボルト２３により縦柱２の前面２ｂに取り付けられ、重り枠１の前側で一対の縦柱２を連結している。
【００２１】
前側連結体２２の両端部には、断面コ字形の取付金２４が複数本のボルト２５によりそれぞれ取り付けられている。一対の取付金２４には、重り枠１の後側で一対の取付金２４を連結する帯状の平板からなる後側連結体２６が取り付けられている。後側連結体２６は、その両端部が複数本のボルト２７により一対の取付金２４に取り付けられている。
【００２２】
取付金２４は、縦柱２に当接される当接面２４ａと、前側連結体２２が接合される前側接合面２４ｂと、後側連結体２６が接合される後側接合面２４ｃとを有している。前側接合面２４ｂ及び後側接合面２４ｃには、ボルト２５，２７が螺着される複数のねじ穴２４ｄ，２４ｅが設けられている。縦柱２の前面２ｂには、ボルト２３が螺着される複数のねじ穴２ｄが設けられている。
【００２３】
ボルト２３，２５，２７は、座金２８及びばね座金２９を介して締め込まれている。縦柱２の前面２ｂと前側連結体２２との間には、ボルト２３の通過を許容する複数枚の挟み金３０が必要に応じて介在されている。実施の形態１による釣合重り耐震装置は、前側連結体２２、ボルト２３，２５，２７、取付金２４、後側連結体２６、座金２８、ばね座金２９及び挟み金３０を有している。
【００２４】
このような釣合重り耐震装置では、左右の縦柱２が前側及び後側連結体２２，２６により連結されているため、地震による縦柱２の変形が防止され、積層重り２１の脱落が防止される。また、既存の釣合重りに対する加工は、縦柱の前面２ｂにねじ穴２ｄを設ける加工だけでよく、耐震装置を現地で容易に取り付けることができ、作業性を向上させることができる。
【００２５】
実施の形態２．
なお、実施の形態１では、帯状の平板からなる前側及び後側連結体２２，２６を示したが、例えば図５〜図７に示すように、それぞれ棒状の前側及び後側連結体３１，３２を用いてもよい。また、必要に応じて、前側及び後側連結体３１，３２を複数本ずつ配置してもよい。
【００２６】
実施の形態３．
また、例えば図８〜図１０に示すように、可撓性のロープ部３３ａ，３４ａと、このロープ部３３ａ，３４ａの両端部に位置する取付金２４への取付部３３ｂ，３３ｃ，３４ｂ，３４ｃとをそれぞれ有する前側及び後側連結体３３，３４を用いてもよい。
【００２７】
実施の形態４．
次に、図１１はこの発明の実施の形態４によるエレベータの釣合重りの要部を示す斜視図、図１２は図１１の釣合重りの要部を示す側面図、図１３は図１２のＸＩＩＩ−ＸＩＩＩ線に沿う断面図である。
【００２８】
この実施の形態４では、中間ストッパを兼ねる取付金３５が使用されている。取付金３５は、縦柱２に当接される当接面３５ａと、前側連結体２２が接合される前側接合面３５ｂと、後側連結体２６が接合される後側接合面３５ｃと、ガイドレール２０側へ突出した中間ストッパ部３５ｄとを有している。前側接合面３５ｂ及び後側接合面３５ｃには、ボルト２５，２７が螺着される複数のねじ穴３５ｅ，３５ｆが設けられている。他の構成は、実施の形態１と同様である。
【００２９】
このような釣合重り耐震装置では、取付金３５に中間ストッパ部３５ｄが設けられているため、中間ストッパを別に取り付ける必要がなく、部品点数を削減してコストを低減することができる。
【００３０】
なお、実施の形態１〜４では、釣合重りの上下方向の中央部のみに釣合重り耐震装置を釣合重りの複数箇所に釣合重り耐震装置を配置してもよい。
【００３１】
【発明の効果】
以上説明したように、請求項１の発明のエレベータの釣合重り耐震装置は、重り枠の前側で一対の縦柱を連結する前側連結体の両端部を、一対の縦柱の前面にボルトにより取り付け、前側連結体の両端部にそれぞれボルトにより取付金を取り付け、重り枠の後側で一対の取付金を連結する後側連結体の両端部を、一対の取付金にボルトにより取り付けたので、地震による縦柱の変形が防止され、積層重りの脱落が防止される。また、既存の釣合重りに対する加工は、縦柱の前面にねじ穴を設ける加工だけでよく、溶接等は不要であり、耐震装置を現地で容易に取り付けることができ、作業性を向上させることができる。
【００３２】
請求項２の発明のエレベータの釣合重り耐震装置は、縦柱に当接される当接面と、前側連結体が接合される前側接合面と、後側連結体が接合される後側接合面とを有する取付金を用いたので、簡単な構成で前側及び後側連結体を縦柱に取り付けることができる。
【００３３】
請求項３の発明のエレベータの釣合重り耐震装置は、前側接合面及び後側接合面に、前側連結体及び後側連結体を取り付けるためのボルトが螺着されるねじ穴を設けたもので、現場での耐震装置の取付作業をさらに容易にすることができる。
【００３４】
請求項４の発明のエレベータの釣合重り耐震装置は、前側連結体及び後側連結体として、それぞれ帯状の平板を用いたので、簡単な構成により地震による縦柱の変形を抑えることができる。
【００３５】
請求項５の発明のエレベータの釣合重り耐震装置は、棒状の前側連結体及び後側連結体を用いたので、簡単な構成により地震による縦柱の変形を抑えることができる。
【００３６】
請求項６の発明のエレベータの釣合重り耐震装置は、ロープ部と、このロープ部の両端部に位置する取付金への取付部とをそれぞれ有している前側連結体及び後側連結体を用いたので、簡単な構成により地震による縦柱の変形を抑えることができる。
【００３７】
請求項７の発明のエレベータの釣合重り耐震装置は、釣合重りの昇降を案内するガイドレール側へ突出した中間ストッパ部を取付金に設けたので、部品点数を削減してコストを低減することができる。
【図面の簡単な説明】
【図１】  この発明の実施の形態１によるエレベータの釣合重りを示す正面図である。
【図２】  図１の釣合重りの要部を示す斜視図である。
【図３】  図２の釣合重りの要部を示す側面図である。
【図４】  図３のＩＶ−ＩＶ線に沿う断面図である。
【図５】  この発明の実施の形態２によるエレベータの釣合重りの要部を示す斜視図である。
【図６】  図５の釣合重りの要部を示す側面図である。
【図７】  図６のＶＩＩ−ＶＩＩ線に沿う断面図である。
【図８】  この発明の実施の形態３によるエレベータの釣合重りの要部を示す斜視図である。
【図９】  図８の釣合重りの要部を示す側面図である。
【図１０】  図９のＸ−Ｘ線に沿う断面図である。
【図１１】  この発明の実施の形態４によるエレベータの釣合重りの要部を示す斜視図である。
【図１２】  図１１の釣合重りの要部を示す側面図である。
【図１３】  図１２のＸＩＩＩ−ＸＩＩＩ線に沿う断面図である。
【図１４】  従来のエレベータの釣合重りの一例を示す正面図である。
【図１５】  図１４の要部側面図である。
【図１６】  図１５のＸＶＩ−ＸＶＩ線に沿う断面図である。
【図１７】  図１４の要部を示す分解斜視図である。
【符号の説明】
１  重り枠、２  縦柱、２ａ  側面、２ｂ  前面、２ｃ  後面、２１  積層重り、２２，３１，３３  前側連結体、２３，２５，２７  ボルト、２４，３５  取付金、２４ａ  当接面、２４ｂ  前側接合面、２４ｃ  後側接合面、２４ｄ，２４ｅ  ねじ穴、２６，３２，３４  後側連結体、３３ａ，３４ａ  ロープ部、３３ｂ，３３ｃ，３４ｂ，３４ｃ  取付部、３５ｄ  中間ストッパ部。
【図１】
0004799730.tif 000002
【図２】
0004799730.tif 000003
【図３】
0004799730.tif 000004
【図４】
0004799730.tif 000005
【図５】
0004799730.tif 000006
【図６】
0004799730.tif 000007
【図７】
0004799730.tif 000008
【図８】
0004799730.tif 000009
【図９】
0004799730.tif 000010
【図１０】
0004799730.tif 000011
【図１１】
0004799730.tif 000012
【図１２】
0004799730.tif 000013
【図１３】
0004799730.tif 000014
【図１４】
0004799730.tif 000015
【図１５】
0004799730.tif 000016
【図１６】
0004799730.tif 000017
【図１７】
0004799730.tif 000018